(57)【特許請求の範囲】
【請求項１】
受信装置と、受信装置で受信した信号の表示を制御する複数の表示制御装置とからなる受信システムであって、
前記受信装置は、
複数のチャネルの信号を受信し、１つのチャネルを選局して出力する選局部と、
前記複数のチャネルは、放送局からの信号が伝送される放送局用のチャネルと、自主放送用のチャネルとを含み、
前記選局部で選局されたチャネルの信号を復調するＯＦＤＭ復調部と、
前記復調された信号から緊急フラグを抽出する第１の抽出部と、
前記復調された信号からトランスポートストリームパケットを抽出する第２の抽出部と、
緊急通知用の画像データおよび／または音声データをペイロード部に含む緊急通知用トランスポートストリームパケットを記憶する記憶部と、
前記選局部で前記自主放送用のチャネルが選択されたときに、前記抽出された緊急フラグが緊急を示す値に設定されている場合には、前記記憶部に記憶された前記緊急通知用トランスポートストリームパケットを出力し、前記選局部で前記放送局用のチャネルが選択されたとき、または前記抽出された緊急フラグが緊急を示す値に設定されていないときには、前記抽出したトランスポートストリームパケットを出力する選択部と、
前記選択部から出力されたトランスポートストリームパケットをインターネットプロトコル方式の信号であるＩＰ信号に変換するＴＳ／ＩＰ変換部とを備え、
前記表示制御装置は、
前記ＩＰ信号を受信する受信部と、
前記ＩＰ信号に含まれる制御信号を抽出する第１の抽出部と、
前記ＩＰ信号に含まれる画像データおよび／または音声データを抽出する第２の抽出部と、
前記画像データおよび／または音声データを蓄積する蓄積部と、
前記制御信号は、制御対象の表示制御装置と、前記再生する画像データおよび／または音声データを指定し、
前記蓄積されている画像データおよび／または音声データが前記緊急通知用の画像データおよび／または音声データでないときには、前記制御信号に基づいて、前記蓄積されている画像データおよび／または音声データを再生して、表示モニタへ出力し、前記蓄積されている画像データおよび／または音声データが前記緊急通知用の画像データおよび／または音声データのときには、前記制御信号によることなく、前記蓄積されている前記緊急通知用の画像データおよび／または音声データを再生して、前記表示モニタへ出力する再生制御部とを備える、受信システム。
【請求項２】
前記緊急フラグは、ＩＳＤＢ−Ｔで規定される緊急放送起動フラグである、請求項１記載の受信システム。
【請求項３】
受信装置と、受信装置で受信した信号の表示を制御する複数の表示制御装置とからなる受信システムであって、
前記受信装置は、
複数のチャネルの信号を受信し、１つのチャネルを選局して出力する選局部と、
前記複数のチャネルは、放送局からの信号が伝送される放送局用のチャネルと、自主放
送用のチャネルとを含み、
前記選局部で選局されたチャネルの信号を復調するＯＦＤＭ復調部と、
前記復調された信号から緊急フラグを抽出する第１の抽出部と、
前記復調された信号からトランスポートストリームパケットを抽出する第２の抽出部と、
前記抽出されたトランスポートストリームパケットをインターネットプロトコル方式の信号であるＩＰ信号に変換するＴＳ／ＩＰ変換部と、
電源操作用ＩＰ信号を記憶する記憶部と、
前記選局部で前記自主放送用のチャネルが選択されたときに、前記抽出された緊急フラグが緊急を示す値に設定されているときには、前記記憶部に記憶された前記電源操作用ＩＰ信号を出力し、前記選局部で前記放送局用のチャネルが選択されたとき、または前記抽出された緊急フラグが緊急を示す値に設定されていないときには、前記変換されたＩＰ信号を出力する選択部とを備え、
前記表示制御装置は、
前記ＩＰ信号を受信する受信部と、
前記ＩＰ信号に含まれる制御信号を抽出する第１の抽出部と、
前記ＩＰ信号に含まれる画像データおよび／または音声データを抽出する第２の抽出部と、
前記画像データおよび／または音声データを蓄積する蓄積部と、
前記制御信号は、制御対象の表示制御装置と、前記再生する画像データおよび／または音声データを指定し、前記制御信号に基づいて、前記蓄積されている画像データおよび／または音声データを再生して、表示モニタへ出力する再生制御部と、
前記電源操作用ＩＰ信号を受信した場合に、待機モードのときに通常モードに移行する電源制御部とを備える、受信システム。
【請求項４】
前記電源操作用ＩＰ信号は、ＷａｋｅＯＮＬＡＮ用パケットである、請求項３記載の受信システム。
【請求項５】
前記複数のチャネルの信号は、ＩＳＤＢ−Ｔ方式の信号である、請求項１〜４のいずれか１項に記載の受信システム。
【発明の詳細な説明】
【技術分野】
【０００１】
本発明は、表示制御装置および受信システムに関し、特にＩＳＤＢ−Ｔ（Integrated Services Digital Broadcasting for Terrestrial）方式で送信される信号が変換されたＩＰ信号の表示を制御する表示制御装置および受信システムに関する。
【背景技術】
【０００２】
従来から、地震などに備えるため、テレビを通じて緊急警報を通報する方法が知られている。
【０００３】
たとえば、特許文献１（特開２００２−３６８８０７号公報）の告知放送方法では、告知放送サーバーにて、音声パケットデータに宛先アドレス情報や、あるいは端末側における音声パケットの再生に役立つ参考情報（付加情報）を添付し、全端末に情報を配信し、一方、端末側にて、選択的に、かつ付加情報を参照した、自主的な所望の再生を行わせるようにした。これにより、IGMP等のプロトコルを実装することなく簡易な手順で複数の宛先端末装置に対して告知放送を行うことができる。
【先行技術文献】
【特許文献】
【０００４】
【特許文献１】特開２００２−３６８８０７号公報
【発明の概要】
【発明が解決しようとする課題】
【０００５】
しかしながら、特許文献１では、端末側が自端末で受信すべき宛先アドレスのパケットを選択的に再生するが、それ以外のパケットは破棄される。したがって、どの画像をどの時刻に表示するかなどの細かな表示制御ができない。
【０００６】
それゆえに、本発明の目的は、自装置に関連する情報のみを効果的に再生することができる表示制御装置および受信システムを提供することである。
【課題を解決するための手段】
【０００７】
上記課題を解決するために、本発明は、受信装置と接続される複数の表示制御装置のうちの１つの表示制御装置であって、ＩＰ（インターネットプロトコル）信号を受信する受信部と、ＩＰ信号に含まれる制御信号を抽出する第１の抽出部と、ＩＰ信号に含まれる画像データおよび／または音声データを抽出する第２の抽出部と、画像データおよび／または音声データを蓄積する蓄積部と、制御信号に基づいて、蓄積されている画像データおよび／または音声データを再生して、表示モニタへ出力する再生制御部とを備える。
【０００８】
好ましくは、ＩＰ信号は、ＵＤＰ（User Datagram Protocol）パケットである。
好ましくは、ＩＰ信号は、ＲＴＰ（Real-time Transport Protocol）パケットである。
【０００９】
好ましくは、制御信号は、制御対象の表示制御装置と、再生する画像データおよび／または音声データを指定する。
【００１０】
本発明は、受信装置と、受信装置で受信した信号の表示を制御する複数の表示制御装置とからなる受信システムであって、受信装置は、複数のチャネルの信号を受信し、１つのチャネルを選局して出力する選局部と、選局部で選局されたチャネルの信号を復調するＯＦＤＭ復調部と、復調された信号からトランスポートストリームパケットを抽出する抽出部と、抽出したトランスポートストリームパケットをインターネットプロトコル方式の信号であるＩＰ信号に変換するＴＳ／ＩＰ変換部とを備える。表示制御装置は、ＩＰ信号を受信する受信部と、ＩＰ信号に含まれる制御信号を抽出する第１の抽出部と、ＩＰ信号に含まれる画像データおよび／または音声データを抽出する第２の抽出部と、画像データおよび／または音声データを蓄積する蓄積部と、制御信号に基づいて、蓄積されている画像データおよび／または音声データを再生して、表示モニタへ出力する再生制御部とを備える。
【００１１】
本発明は、受信装置と、受信装置で受信した信号の表示を制御する複数の表示制御装置とからなる受信システムであって、受信装置は、複数のチャネルの信号を受信し、１つのチャネルを選局して出力する選局部と、選局部で選局されたチャネルの信号を復調するＯＦＤＭ復調部と、復調された信号から緊急フラグを抽出する第１の抽出部と、復調された信号からトランスポートストリームパケットを抽出する第２の抽出部と、緊急通知用の画像データおよび／または音声データをペイロード部に含む緊急通知用トランスポートストリームパケットを記憶する記憶部と、選局部で自主放送用のチャネルが選択されたときに、抽出された緊急フラグが緊急を示す値に設定されている場合には、記憶部に記憶された緊急通知用トランスポートストリームパケットを出力し、選局部で自主放送用のチャネル以外のチャネルが選択されたとき、または抽出された緊急フラグが緊急を示す値に設定されていないときには、抽出したトランスポートストリームパケットを出力する選択部と、選択部から出力されたトランスポートストリームパケットをインターネットプロトコル方式の信号であるＩＰ信号に変換するＴＳ／ＩＰ変換部とを備える。表示制御装置は、ＩＰ信号を受信する受信部と、ＩＰ信号に含まれる制御信号を抽出する第１の抽出部と、ＩＰ信号に含まれる画像データおよび／または音声データを抽出する第２の抽出部と、画像データおよび／または音声データを蓄積する蓄積部と、制御信号に基づいて、蓄積されている画像データおよび／または音声データを再生して、表示モニタへ出力する再生制御部とを備える。
【００１２】
好ましくは、緊急フラグは、ＩＳＤＢ−Ｔで規定される緊急放送起動フラグである。
本発明は、受信装置と、受信装置で受信した信号の表示を制御する複数の表示制御装置とからなる受信システムであって、受信装置は、複数のチャネルの信号を受信し、１つのチャネルを選局して出力する選局部と、選局部で選局されたチャネルの信号を復調するＯＦＤＭ復調部と、復調された信号から緊急フラグを抽出する第１の抽出部と、復調された信号からトランスポートストリームパケットを抽出する第２の抽出部と、抽出されたトランスポートストリームパケットをインターネットプロトコル方式の信号であるＩＰ信号に変換するＴＳ／ＩＰ変換部と、電源操作用ＩＰ信号を記憶する記憶部と、選局部で自主放送用のチャネルが選択されたときに、抽出された緊急フラグが緊急を示す値に設定されているときには、記憶部に記憶された電源操作用ＩＰ信号を出力し、選局部で自主放送用のチャネル以外のチャネルが選択されたとき、または抽出された緊急フラグが緊急を示す値に設定されていないときには、変換されたＩＰ信号を出力する選択部とを備える。表示制御装置は、ＩＰ信号を受信する受信部と、ＩＰ信号に含まれる制御信号を抽出する第１の抽出部と、ＩＰ信号に含まれる画像データおよび／または音声データを抽出する第２の抽出部と、画像データおよび／または音声データを蓄積する蓄積部と、制御信号に基づいて、蓄積されている画像データおよび／または音声データを再生して、表示モニタへ出力する再生制御部と、電源操作用ＩＰ信号を受信した場合に、待機モードのときに通常モードに移行する電源制御部とを備える電源制御部とを備える。
【００１３】
好ましくは、電源操作用ＩＰ信号は、ＷａｋｅＯＮＬＡＮ用パケットである。
好ましくは、複数のチャネルの信号は、ＩＳＤＢ−Ｔ方式の信号である。
【発明の効果】
【００１４】
本発明によれば、自装置に関連する情報のみを効果的に再生することができる。
【図面の簡単な説明】
【００１５】
【図１】本発明の実施形態のデジタル伝送システムの構成を表わす図である。
【図２】図１に含まれるコンテンツ作成送信装置の構成を表わす図である。
【図３】図１に含まれる受信システム５＿１の構成を表わす図である。
【図４】制御信号の形式を表わす図である。
【図５】表示モニタに表示される画面の例を表わす図である。
【図６】本発明の実施形態の表示制御装置の動作手順を表わすフローチャートである。
【図７】第２の実施形態の受信システムの構成を表わす図である。
【図８】第３の実施形態の受信システムの構成を表わす図である。
【発明を実施するための形態】
【００１６】
以下、本発明の実施形態について図面を参照して説明する。
［第１の実施形態］
図１は、本発明の実施形態のデジタル伝送システムの構成を表わす図である。
【００１７】
このデジタル伝送システムは、コンテンツ作成送信装置２と、混合器３と、分配器４と、複数の受信システム５＿１〜５＿４と、複数の表示モニタ６＿１〜６＿４とを備える。
【００１８】
コンテンツ作成送信装置２および混合器３は、たとえば、ビルの管理センタやマンションの管理センタなどに設置され、受信システム５＿１〜５＿４の各々は、テナントや家庭に設けられる。
【００１９】
コンテンツ作成送信装置２と混合器３との間、混合器３と分配器４との間、および分配器４と受信システム５＿１〜５＿４との間は、たとえば同軸ケーブルで接続される。
【００２０】
コンテンツ作成送信装置２は、自主放送用のコンテンツとしてサイネージ画像を含む画像ファイルを作成して、放送局１（たとえばＣＡＴＶ局など）から送信されるＩＳＤＢ−Ｔ（Integrated Services Digital Broadcasting for Terrestrial）方式の信号（たとえばＴＶ放送信号）と同じ形式の信号に変換して出力する。具体的には、コンテンツ作成送信装置２は、画像ファイルの信号を放送局から送信される複数チャネルとは別の空きチャネル（チャネルＡとする）の周波数の信号に変換する。
【００２１】
混合器３は、コンテンツ作成送信装置２から出力される１つのチャネルの信号と放送局１から送信された複数チャネルの信号とを混合して、出力する。
【００２２】
分配器４は、混合器３から出力される信号を分配して、受信システム５＿１〜５＿４へ供給する。
【００２３】
受信システム５＿ｉ（ｉ＝１〜４）は、受信装置７＿ｉ（ｉ＝１〜４）と、複数の表示制御装置８＿ｉ＿１〜８＿ｉ＿Ｎ（ｉ＝１〜４）を含む。
【００２４】
受信装置７＿ｉは、受信したＯＦＤＭ変調された信号を復調することによって得られたＴＳパケットをＩＰ信号に変換して、表示制御装置８＿ｉ＿１〜８＿ｉ＿Ｎへ出力する。
【００２５】
表示制御装置８＿ｉ＿１〜８＿ｉ＿Ｎは、受信装置７＿ｉから送られたＩＰ信号に含まれる画像ファイルおよび／または音声ファイルを蓄積し、ＩＰ信号に含まれる制御信号に基づいて蓄積したファイルを表示モニタ６＿ｉ＿Ｎへ出力する。
【００２６】
表示モニタ６＿ｉ＿１〜６＿ｉ＿Ｎは、表示制御装置８＿ｉ＿１〜８＿ｉ＿Ｎから出力される画像を表示し、音声をスピーカ出力する。
【００２７】
受信システム７＿ｉは、ハブ５５＿ｉを介して表示制御装置８＿ｉ＿１〜８＿ｉ＿Ｎと接続する。受信システム７＿ｉおよび表示制御装置８＿ｉ＿１〜８＿ｉ＿Ｎは、たとえばパソコンで構成されている。表示モニタ６＿ｉ＿１〜６＿ｉ＿Ｎは、パソコンのディスプレイまたはテレビの表示装置（液晶ディスプレイまたはプラズマディスプレイなど）で実現されているものとする。
【００２８】
図２は、図１に含まれるコンテンツ作成送信装置２の構成を表わす図である。
図２に示すように、コンテンツ作成送信装置２は、サイネージ画像作成部１１と、サイネージ画像記憶部１２と、ＴＳ変換部１３と、緊急通知部１５と、ＯＦＤＭ（Orthogonal
Frequency Division Multiplexing）変調部１４とを備える。
【００２９】
サイネージ画像作成部１１は、サイネージ画像を含む画像ファイルを作成する。
サイネージ画像記憶部１２は、作成された画像ファイルを記憶する。
【００３０】
ＴＳ変換部１３は、画像ファイルをＭＰＥＧ（Moving Picture Experts Group）符号化した上で、ＴＳ（Transport Stream)パケットに変換する。
【００３１】
緊急通知部１５は、緊急時において、ＴＭＣＣ（Transmission and Multiplexing Configuration and Control）信号における緊急警報情報が放送中であるかを否かを示す緊急警報起動フラグに「１」を設定し、通常時において、緊急警報起動フラグに「０」を設定する。ここで、緊急時とは、受信装置７＿１〜７＿４が設置されている場所に特有の緊急時をいう。たとえば、受信装置７＿１〜７＿４が１つのビルに設置されているときには、そのビルの火災時などである。
【００３２】
ＯＦＤＭ変調部１４は、ＴＳパケット、および緊急警報起動フラグを含むＴＭＣＣ信号をＯＦＤＭ変調する。
【００３３】
図３は、図１に含まれる受信システム５＿１の構成を表わす図である。他の受信システム５＿２〜５＿４も、これと同様である。
【００３４】
図３を参照して、この受信システム５＿１は、受信装置７＿１と、表示制御装置８＿１＿１〜８＿１＿Ｎとを備える。受信装置７＿１と、表示制御装置８＿１＿１〜８＿１＿Ｎの間は、ハブ５５で接続される。
【００３５】
受信装置７＿１は、選局部２１と、ＯＦＤＭ復調部２２と、ＴＳ抽出部２４と、ＴＳ／ＩＰ変換部２７とを備える。
【００３６】
選局部２１は、分配器４から出力される複数のチャネルの信号を受信し、ユーザなどによって選択された１つのチャネルを選局して出力する。
【００３７】
ＯＦＤＭ復調部２２は、選局部２１から出力される選局されたチャネルの信号をＯＦＤＭ復調する。
【００３８】
ＴＳ抽出部２４は、ＯＦＤＭ復調された信号からＴＳパケットを抽出する。
ＴＳ／ＩＰ変換部２７は、ＴＳ抽出部２４から出力されたＴＳパケットをインターネットプロトコル方式の信号であるＩＰ信号に変換して出力する。具体的には、ＴＳ／ＩＰ変換部２７は、ＴＳパケットをＵＤＰ（User Datagram Protocol）パケットに変換して出力する。ＵＤＰパケットに変換するのは、ＵＤＰでは、ＴＣＰと異なり、再送制御が行なわれないため、伝送遅延が生じないからである。ＵＤＰパケットの宛先として、複数の接続先の表示制御装置を指定するブロードキャストアドレスが指定される。
【００３９】
表示制御装置８＿１＿１は、ＩＰ受信部２９と、ファイル抽出部２８と、蓄積部３１と、制御信号抽出部３６と、再生制御部３２とを備える。
【００４０】
ＩＰ受信部２９は、受信装置７＿１から出力されるＵＤＰパケットを受信する。
ファイル抽出部２８は、ＵＤＰパケットのペイロード部分から画像ファイルおよび／または音声ファイルを構成するデータを抽出して蓄積部３１に記憶する。
【００４１】
制御信号抽出部３６は、ＵＤＰパケットのペイロード部分から制御信号を抽出する。
図４は、制御信号の形式を表わす図である。
【００４２】
図４（ａ）に示すように、制御信号は、指定先（命令を実行する表示制御装置のアドレス）と、命令とを含む。
【００４３】
図４（ｂ）の制御信号は、指定先が「アドレス＃１の表示制御装置」で、命令が「サイネージ画像＃３を表示する」ことである。
【００４４】
図４（ｃ）の制御信号は、指定先が「アドレス＃２の表示制御装置」で、命令が「サイネージ画像＃４を表示する」ことである。
【００４５】
蓄積部３１は、抽出された画像ファイルおよび／または音声ファイルを構成するデータを記憶する。
【００４６】
再生制御部３２は、抽出された制御信号に基づいて、蓄積部３１に蓄積されている画像ファイルおよび／または音声ファイルを再生して、表示モニタ６＿１＿１へ出力する。
【００４７】
再生制御部３２は、図４（ｂ）の制御信号を抽出したときには、自己のアドレスが「＃１」の場合にのみ、蓄積部３１に蓄積されている「サイネージ画像＃３」の画像ファイルを読み出して再生する。その結果、表示制御装置８＿１＿１に接続される表示モニタ６＿１＿１の画面は、図５（ａ）に示すような画面となる。
【００４８】
再生制御部３２は、図４（ｃ）の制御信号を抽出したときには、自己のアドレスが「＃２」の場合にのみ、蓄積部３１に蓄積されている「サイネージ画像＃４」の画像ファイルを読み出して再生する。その結果、表示制御装置８＿１＿１に接続される表示モニタ６＿１＿１の画面は、図５（ｂ）に示すような画面となる。
【００４９】
（動作）
図６は、本発明の実施形態の表示制御装置の動作手順を表わすフローチャートである。
【００５０】
図６を参照して、まず、ＩＰ受信部２９は、受信装置７＿１から出力されるＵＤＰパケットを受信する（ステップＳ３０１）。
【００５１】
ファイル抽出部２８は、ＵＤＰパケットのペイロード部分から画像ファイルおよび／または音声ファイルを構成するデータを抽出して蓄積部３１に記憶する。また、制御信号抽出部３６は、ＵＤＰパケットのペイロード部分から制御信号を抽出する（ステップＳ３０２）。
【００５２】
再生制御部３２は、抽出された制御信号に基づいて、蓄積部３１に蓄積されている画像ファイルおよび／または音声ファイルを再生して、表示モニタ６＿１＿１へ出力する（ステップＳ３０３）。
【００５３】
以上のように、本実施の形態によれば、自装置に関連する情報のみを効果的に再生することができる。
【００５４】
［第２の実施形態］
図７は、第２の実施形態の受信システムの構成を表わす図である。
【００５５】
図７を参照して、この受信システムは、受信装置８７＿１と、表示制御装置１８＿１＿１を備える。
【００５６】
受信装置８７＿１は、選局部２１と、ＯＦＤＭ復調部２２と、緊急フラグ抽出部２３と、ＴＳ抽出部２４と、緊急通知用ＴＳパケット記憶部１２５と、選択部２６と、ＴＳ／ＩＰ変換部２７とを備える。
【００５７】
選局部２１は、分配器４から出力される複数のチャネルの信号を受信し、ユーザなどによって選択された１つのチャネルを選局して出力する。
【００５８】
ＯＦＤＭ復調部２２は、選局部２１から出力される選局されたチャネルの信号をＯＦＤＭ復調する。
【００５９】
緊急フラグ抽出部２３は、ＯＦＤＭ復調された信号から緊急警報起動フラグを抽出する。緊急フラグ抽出部２３は、選局部２１で自主放送用のチャネル以外のチャネルが選択され、かつ抽出された緊急警報起動フラグが緊急を示す値（すなわち「１」）に設定されているときには、選択部２６へ緊急警報を通知する。
【００６０】
ＴＳ抽出部２４は、ＯＦＤＭ復調された信号からＴＳパケットを抽出する。
緊急通知用ＴＳパケット記憶部１２５は、緊急通知用ＴＳパケットを記憶する。緊急通知用ＴＳパケットは、緊急通知用画像ファイルおよび／または緊急通知用音声ファイルを構成するＴＳパケットである。緊急通知用画像ファイルおよび緊急通知用音声ファイルは、緊急であることを示す識別子を含む。
【００６１】
選択部２６は、選局部２１で自主放送用のチャネル（チャネルＡ）が選択されたときに、抽出された緊急警報起動フラグが緊急を示す値（すなわち「１」）に設定されている場合には、緊急通知用ＴＳパケットを選択して出力する。選択部２６は、選局部２１で自主放送用のチャネル以外のチャネルが選択されたとき、または抽出された緊急警報起動フラグが緊急を示す値に設定されていない（すなわち「０」）ときには、ＴＳ抽出部２４から出力されたＴＳパケットを選択して出力する。
【００６２】
ＴＳ／ＩＰ変換部２７は、選択部２６から出力されたＴＳパケットをインターネットプロトコル方式の信号であるＩＰ信号に変換して出力する。具体的には、ＴＳ／ＩＰ変換部２７は、ＴＳパケットをＵＤＰ（User Datagram Protocol）パケットに変換して出力する。ＵＤＰパケットに変換するのは、ＵＤＰでは、ＴＣＰと異なり、再送制御が行なわれないため、伝送遅延が生じないからである。ＵＤＰパケットの宛先として、受信装置が１つの表示制御装置と接続されているときには、その接続先の表示制御装置のアドレスが指定されるが、受信装置が複数の表示制御装置と接続されているときには、複数の接続先の表示制御装置を指定するブロードキャストアドレスが指定されることとしてもよい。
【００６３】
表示制御装置１８＿１＿１は、ＩＰ受信部２９と、ファイル抽出部２８と、蓄積部３１と、制御信号抽出部３６と、再生制御部１３２とを備える。
【００６４】
ＩＰ受信部２９は、受信装置８７＿１から出力されるＵＤＰパケットを受信する。
ファイル抽出部２８は、ＵＤＰパケットのペイロード部分から画像ファイルおよび／または音声ファイルを構成するデータを抽出して蓄積部３１に記憶する。
【００６５】
制御信号抽出部３６は、ＵＤＰパケットのペイロード部分から制御信号を抽出する。
蓄積部３１は、抽出された画像ファイルおよび／または音声ファイルを構成するデータを記憶する。
【００６６】
再生制御部１３２は、制御信号に基づいて、蓄積部３１に蓄積されている画像ファイルおよび／または音声ファイルを再生して、表示モニタ６＿１＿１へたとえばＨＤＭＩケーブルを介して出力する。
【００６７】
再生制御部１３２は、蓄積部３１に緊急通知用画像ファイルおよび／または緊急通知用音声ファイルが格納された場合には、制御信号によることなく、直ちに緊急通知用画像ファイルおよび／または緊急通知用音声ファイルを読み出して再生して、表示モニタ６＿１＿１へ出力する。再生制御部１３２は、緊急通知用画像ファイルおよび／または緊急通知用音声ファイルであるか否かは、ファイル内の識別子によって判断する。
【００６８】
以上のように、本実施の形態によれば、第１の実施形態と同様に、自装置に関連する情報のみを効果的に再生することができる。
【００６９】
［第３の実施形態］
図８は、第３の実施形態の受信システムの構成を表わす図である。
【００７０】
図８を参照して、この受信システムは、受信装置９７＿１と、表示制御装置３８＿１＿１を備える。
【００７１】
第３の実施形態の受信装置９７＿１は、選局部２１と、ＯＦＤＭ復調部２２と、緊急フラグ抽出部２３と、ＴＳ抽出部２４と、電源操作用ＩＰ信号記憶部２５と、ＴＳ／ＩＰ変換部２７と、選択部２６とを備える。
【００７２】
選局部２１は、分配器４から出力される複数のチャネルの信号を受信し、ユーザなどによって選択された１つのチャネルを選局して出力する。
【００７３】
ＯＦＤＭ復調部２２は、選局部２１から出力される選局されたチャネルの信号をＯＦＤＭ復調する。
【００７４】
緊急フラグ抽出部２３は、ＯＦＤＭ復調された信号から緊急警報起動フラグを抽出する。緊急フラグ抽出部２３は、選局部２１で自主放送用のチャネル以外のチャネルが選択され、かつ抽出された緊急警報起動フラグが緊急を示す値（すなわち「１」）に設定されているときには、選択部２６へ緊急警報を通知する。
【００７５】
ＴＳ抽出部２４は、ＯＦＤＭ復調された信号からＴＳパケットを抽出する。
ＴＳ／ＩＰ変換部２７は、ＴＳ抽出部２４から出力されたＴＳパケットをインターネットプロトコル方式の信号であるＩＰ信号に変換して出力する。具体的には、ＴＳ／ＩＰ変換部２７は、ＴＳパケットをＵＤＰ（User Datagram Protocol）パケットに変換して出力する。ＵＤＰパケットに変換するのは、ＵＤＰでは、ＴＣＰと異なり、再送制御が行なわれないため、伝送遅延が生じないからである。ＵＤＰパケットの宛先として、受信装置が１つの表示制御装置と接続されているときには、その接続先の表示制御装置のアドレスが指定されるが、受信装置が複数の表示制御装置と接続されているときには、複数の接続先の表示制御装置を指定するブロードキャストアドレスが指定されることとしてもよい。
【００７６】
電源操作用ＩＰ信号記憶部２５は、電源操作用ＩＰ信号として、ＷａｋｅＯＮＬＡＮ用パケット（ＵＤＰパケット）を記憶する。
【００７７】
選択部２６は、選局部２１で自主放送用のチャネル（チャネルＡ）が選択されたときに、抽出された緊急警報起動フラグが緊急を示す値（すなわち「１」）に設定されている場合には、電源操作用ＩＰ信号を選択して出力する。選択部２６は、選局部２１で自主放送用のチャネル以外のチャネルが選択されたとき、または抽出された緊急警報起動フラグが緊急を示す値に設定されていない（すなわち「０」）ときには、ＴＳ／ＩＰ変換部２７から出力されたＩＰ信号（ＵＤＰパケット）を選択して出力する。
【００７８】
表示制御装置３８＿１＿１は、ＩＰ受信部２９と、ファイル抽出部２８と、蓄積部３１と、制御信号抽出部３６と、電源制御部３３と、再生制御部２３２とを備える。
【００７９】
ＩＰ受信部２９は、受信装置９７＿１から出力されるＵＤＰパケットを受信する。
ファイル抽出部２８は、ＵＤＰパケットのペイロード部分から画像ファイルおよび／または音声ファイルを構成するデータを抽出して蓄積部３１に記憶する。
【００８０】
制御信号抽出部３６は、ＵＤＰパケットのペイロード部分から制御信号を抽出する。
蓄積部３１は、抽出された画像ファイルおよび／または音声ファイルを構成するデータを記憶する。
【００８１】
再生制御部２３２は、制御信号に基づいて、蓄積部３１に蓄積されている画像ファイルおよび／または音声ファイルを再生して、表示モニタ６＿１＿１へたとえばＨＤＭＩケーブルを介して出力する。
【００８２】
再生制御部２３２は、ポートＰ２を通じて受信装置９７＿１から緊急警報を受信したときには、緊急を表わす画像または音声を表示モニタ６＿１＿１へ出力する。
【００８３】
電源制御部３３は、電源操作用ＩＰ信号（ＷａｋｅＯＮＬＡＮ用パケット）を受信したときには、表示制御装置が待機モードの場合には通常モードに移行し、表示モニタ６＿１へも電力を供給する。ここで、待機モードとは、一部の部品への電圧供給が停止または低電圧が供給されたり、クロック供給が停止または低速のクロックが供給されることによって、低消費電力状態となるモードである。
【００８４】
以上のように、本実施の形態によれば、第１の実施形態と同様に、自装置に関連する情報のみを効果的に再生することができる。
【００８５】
(変形例）
本発明は、上記の実施形態に限定されるものではなく、たとえば以下のような変形例も含む。
【００８６】
（１）  本発明の実施形態では、コンテンツ作成送信装置が、サイネージ画像を含む画像ファイルを作成して送信することとしたが、これに限定するものではない。たとえば音声ファイルを作成して送信することとしてもよい。
【００８７】
（２）  ＴＳ／ＩＰ変換部では、ＴＳパケットをＵＤＰパケットに変換することとしたが、これに限定するものではない。リアルタイムでの再生が望まれるときには、ＴＳ／ＩＰ変換部は、たとえばＴＳパケットをＲＴＰ（Real-time Transport Protocol）パケットに変換することとしてもよい。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８９】
１  放送局、２  コンテンツ作成送信装置、３  混合器、４  分配器、５＿１〜５＿４  受信システム、６＿１＿１〜６＿１＿Ｎ，６＿２＿１〜６＿２＿Ｎ，６−３＿１〜６＿３＿Ｎ，６＿４＿１〜６＿４＿Ｎ  表示モニタ、７＿１〜７＿４，８７＿１，９７＿１  受信装置、８＿１＿１〜８＿１＿Ｎ，８＿２＿１〜８＿２＿Ｎ，８＿３＿１〜８＿３＿Ｎ，８＿４＿１〜８＿４＿Ｎ，１８＿１＿１，３８＿１＿１  表示制御装置、１１  サイネージ画像作成部、１２  サイネージ画像記憶部、１３  ＴＳ変換部、１４  ＯＦＤＭ変調部、１５  緊急通知部、２１  選局部、２２  ＯＦＤＭ復調部、２３  緊急フラグ抽出部、２４  ＴＳ抽出部、２５  電源操作用ＩＰ信号記憶部、２６  選択部、２７  ＴＳ／ＩＰ変換部、２８  ファイル抽出部、２９  ＩＰ受信部、３１  蓄積部、３２，１３２，２３２  再生制御部、３３  電源制御部、３６  制御信号抽出部、５５  ハブ、１２５  緊急通知用ＴＳパケット記憶部。
【図１】
0005848623.tif 000002
【図２】
0005848623.tif 000003
【図３】
0005848623.tif 000004
【図４】
0005848623.tif 000005
【図５】
0005848623.tif 000006
【図６】
0005848623.tif 000007
【図７】
0005848623.tif 000008
【図８】
0005848623.tif 000009